(57)【要約】【課題】利用者の集中思考を支援する。【解決手段】オープンオフィス等に防音外壁５２を用いて一定空間を形成し、さらに暗幕３８等を用いて複数のエリア（スペースＡ、スペースＢ、スペースＣ、スペースＤ）を形成する。各エリアには外部サーバから利用者毎に作成された思考テーマデータが出力され表示される。利用者はコンベヤ等の台座３４によりあるエリアから次のエリアへ運搬される。利用者は、各エリアにおいて限られた時間内で集中的に特定のテーマについて思考する。思考結果は音声データ等として外部サーバに記憶される。【選択図】図３
2005242101.tif 000002
【特許請求の範囲】
【請求項１】
外部サーバと、
前記外部サーバとデータを送受する集中思考支援施設と、
を有する集中思考支援システムであって、
前記外部サーバは、
前記集中思考支援施設を利用する利用者毎の思考テーマデータを作成する手段と、
前記思考テーマデータを時系列順に分割する手段と、
時系列順に分割された前記思考テーマデータを前記集中思考支援施設に送信する手段と、
を有し、
前記集中思考支援施設は、
前記外部サーバとデータを送受する通信手段と、
周囲から一定空間を遮断して集中思考用空間を形成する遮断手段と、
前記集中思考用空間をさらに複数のエリアに分割する仕切手段と、
前記通信手段により前記外部サーバから受信した、時系列順に分割された前記思考テーマデータの各々を前記複数のエリアに各々出力する出力手段と、
所定時間毎に前記複数のエリアを巡回するように前記利用者を案内する手段と、
を有することを特徴とする集中思考支援システム。
【請求項２】
請求項１記載のシステムにおいて、
前記集中思考支援施設は、さらに、
前記利用者を特定するためのＩＤデータを前記通信手段を介して前記外部装置に送信するＩＤデータ送信手段と、
を有し、前記外部サーバは、前記ＩＤデータに基づいて利用者毎の思考テーマデータを作成することを特徴とする集中思考支援システム。
【請求項３】
請求項２記載のシステムにおいて、
前記思考テーマデータは、前記利用者のＩＤデータに基づく前記利用者の人口統計上の属性あるいは職業、経歴、嗜好の少なくともいずれかにより作成されることを特徴とする集中思考支援システム。
【請求項４】
請求項１記載のシステムにおいて、
前記利用者毎の思考テーマデータは、キーワードデータを含むことを特徴とする集中思考支援システム。
【請求項５】
請求項４記載のシステムにおいて、
前記利用者毎の思考テーマデータは、前記キーワードデータに関連する情報を含むことを特徴とする集中思考支援システム。
【請求項６】
請求項１記載のシステムにおいて、
前記集中思考支援施設の前記案内する手段は、所定時間毎に前記利用者をあるエリアから隣接する次のエリアに運搬することを特徴とする集中思考支援システム。
【請求項７】
請求項１記載のシステムにおいて、
前記集中思考支援施設は、さらに、
前記利用者が前記複数のエリアのいずれに存在するかを報知する手段
を有することを特徴とする集中思考支援システム。
【請求項８】
請求項１記載のシステムにおいて、
前記集中思考支援施設は、さらに、
前記複数のエリアの各々において前記利用者のデータを入力する手段と、
を有し、
前記通信手段は、前記データを入力したエリアにおいて出力されている前記思考テーマデータに関連付けて前記データを前記外部サーバに送信し、
前記外部サーバは、前記データを前記利用者毎に記憶する
ことを特徴とする集中思考支援システム。
【請求項９】
請求項１記載のシステムにおいて、
前記集中思考支援施設は、その平面形状が円形あるいは長方形をなすことを特徴とする集中思考支援システム。
【請求項１０】
請求項１記載のシステムにおいて、
前記所定時間は、前記複数のエリア毎に設定されることを特徴とする集中思考支援システム。
【請求項１１】
請求項１０記載のシステムにおいて、
前記所定時間は、前記複数のエリアの各々に出力される思考テーマデータの内容に応じて設定されることを特徴とする集中思考支援システム。
【発明の詳細な説明】
【技術分野】
【０００１】
本発明は集中思考支援システムに関し、特に周囲から遮断したスペース内において利用者の集中思考を支援する技術に関する。
【背景技術】
【０００２】
近年、企業におけるオフィス環境は変化しており、ＩＴ技術の進展と相俟って従業員が特定のデスクを有せず、任意のデスクに着座してワークを行うオープンオフィス環境も急速に普及している。このようなオープンオフィス環境においては、個人のワークスペースと、その個人が本来的に必要としない雑情報が存在する個人以外のスペースとの線引きが曖昧となり易く、個人が特定のテーマについて集中的に思考するための時間と空間を創り出すことが比較的困難である。雑情報は、主に視覚及び聴覚を介して入力され、聴覚に関しては耳栓やヘッドフォンを装着することにより遮断することが可能であり、視覚に関しても個人の周囲空間に遮蔽物を配置することである程度可能である。
【０００３】
下記に示す特許文献１には、枕部に畳み込むことができ、利用者の側方及び上方の視野を限定する障壁を設けることで、精神を集中することができる環境を創り出している。
【０００４】
また、下記に示す特許文献２には、トイレを集中思考促進空間として利用し、適宜広告情報を提供する技術が記載されている。
【０００５】
【特許文献１】特開平６−１３０８９１号公報
【特許文献２】特開２００３−３３０３９６号公報
【発明の開示】
【発明が解決しようとする課題】
【０００６】
上記特許文献１では、側方及び上方の視野を制限してトンネル状の視野を創り出すことで、視覚に入る雑情報を遮蔽するとともに雑音も遮蔽することで精神を集中できる環境を創っているが、たとえ雑情報を遮蔽したとしても人間の思考は散漫となり易く、特定のテーマについて集中的に思考することは困難である。すなわち、上記のような遮蔽物を顔部に近接配置しても、制限された視野に入ってきた物体や映像により集中が途切れ、本来思考すべきテーマとは別のテーマについて思考を巡らせてしまうことが多い。
【０００７】
また、上記特許文献２では、特定の空間を利用して集中思考を支援しているが、利用者に提供する情報は一般的な広告情報であり、この情報に接した利用者は本来思考すべきテーマから外れることになる。
【０００８】
さらに、上記従来技術のいずれにおいても、利用者は自由に思考を巡らせることが可能であるが、自由に思考できるよりもむしろ、限定されたテーマについて限定された時間内に思考をある程度強制される方が雑念の入る余地が少なくなり、結果的に思考に集中できることは日常よく経験するところであり、このような生理学的な知見に基づいて集中思考を可能とする環境を整備するには至っていない。
【０００９】
本発明の目的は、利用者が特定のテーマについて集中的に思考することを支援するシステムを提供することにある。
【課題を解決するための手段】
【００１０】
本発明は、外部サーバと、前記外部サーバとデータを送受する集中思考支援施設とを有する集中思考支援システムであって、前記外部サーバは、前記集中思考支援施設を利用する利用者毎の思考テーマデータを作成する手段と、前記思考テーマデータを時系列順に分割する手段と、時系列順に分割された前記思考テーマデータを前記集中思考支援施設に送信する手段とを有し、前記集中思考支援施設は、前記外部サーバとデータを送受する通信手段と、周囲から一定空間を遮断して集中思考用空間を形成する遮断手段と、前記集中思考用空間をさらに複数のエリアに分割する仕切手段と、前記通信手段により前記外部サーバから受信した、時系列順に分割された前記思考テーマデータの各々を前記複数のエリアに各々出力する出力手段と、所定時間毎に前記複数のエリアを巡回するように前記利用者を案内する手段とを有する。
【００１１】
本発明においては、集中思考を行うための施設内を複数のエリアに分割し、各エリアに思考テーマデータを出力する。利用者は、複数のエリアを巡回することで、各エリアに出力された思考テーマデータに基づき集中思考を行う。思考テーマデータは利用者毎に作成され利用者に提示されるから、利用者は施設内において物理的かつ精神的に集中して思考できる。本発明における思考テーマデータは時系列順に分割されて外部サーバから施設に供給されるが、「時系列順」とは論理的な時系列順を意味し、利用者がその順に思考することで効率的に思考できると考えられる順である。一般的に論理的思考は、準備あるいは関連する基礎知識の取得、解析、整理の順で行われると考えられるので、例えばこれらに対応するように思考テーマデータを分割する。利用者は、エリア間を物理的に移動することで特定のテーマについて論理的に思考する。その際、利用者の作業状況により、思考エリアを時系列的に巻き戻すこともできる。例えば、解析作業中に情報量が足りないと感じれば、基礎知識の取得エリアに戻ることができるなどである。巻き戻しを判定する情報には利用者が過去に本システムを利用したことがあれば、どんな作業が得意か苦手かなどの作業履歴データを利用する。利用したことがなければ、そのエリアで利用者が行っている作業結果、例えば、作成した文書の量、入力装置に入力した回数などを用いる。また、利用者に巻き戻し指示を依頼された場合も該当する。
【発明の効果】
【００１２】
本発明によれば、利用者は特定のテーマについて集中的かつ効率的に思考することができる。
【発明を実施するための最良の形態】
【００１３】
以下、図面に基づき本発明の実施形態について説明する。
【００１４】
図１には、本実施形態に係る集中思考支援システムの概念構成図が示されている。集中思考支援システムは、有線あるいは無線の通信ネットワーク１００で互いに接続され、データの送受が可能な外部サーバ１及び集中思考支援施設２（以下、「施設」と略称する）から構成される。
【００１５】
外部サーバ１は、施設２とは別個に設けられたサーバコンピュータであり、思考テーマ生成手段１０を含む。思考テーマ生成手段１０は、施設２を使用する利用者毎の思考テーマデータを生成し、通信ネットワーク１００を介して施設２に送信する。利用者毎の思考テーマデータは、利用者の年齢や性別等の人口統計学的な属性や利用者の職業あるいは嗜好に合致した思考テーマを選択し、選択した思考テーマを特定するためのキーワードあるいは選択した思考テーマに関連するキーワードその他の情報を思考テーマデータとして生成する。利用者毎の思考テーマは、例えば予め人口統計学的に分類された思考テーマをデータベース化して記憶しておき、施設２から送信された利用者を特定するデータ（ＩＤデータ）を用いて利用者に合致する思考テーマをデータベースから検索することで得られる。
【００１６】
通信ネットワーク１００はインターネット等の公衆回線でもよく、ＬＡＮ等の専用回線でもよい。外部サーバ１と施設２は物理的に近接していてもよく、あるいは遠隔地に離間してもよい。通信ネットワーク１００のデータ送受可能範囲を一定範囲に制限してもよい。一つの配置形態は、外部サーバ１及び施設２をともにオフィスの一室に配置し、外部サーバ１と施設２を無線ＬＡＮで接続するものである。
【００１７】
施設２は、利用者がその施設内に入って集中思考をするためのスペースであり、壁等の障壁により周囲空間から視覚的及び聴覚的に隔絶される。すなわち、障壁は非透明な部材から構成され、かつ雑音を遮断するための防音材から構成される。施設２の全体形状は任意であるが、その平面形状が円形あるいは多角形状が好ましい。その理由は、施設２は略面積の等しい複数のエリアあるいはスペースに分割され、これら複数のエリアを利用者が容易に移動できるようにするためである。施設２は、仕切手段１２、内部状況表示手段１４、思考テーマ表示手段１６、利用者運搬手段１８及び通信手段２０を有する。
【００１８】
仕切手段１２は、施設２内部を複数のエリアに分割するためのものであり、例えば暗幕で構成される。仕切手段１２の配置位置は施設２の平面形状及び分割すべき複数エリアの形状に依存するが、例えば施設２の平面形状が円である場合、中心から円周に向けて等角度に放射状に配置することで、面積の互いに等しい複数のエリアに分割できる。仕切の中心角を９０°とすることで施設２は４つのエリアに分割される。これら４つのエリアは、利用者が巡回するエリアであり、各エリアにおいて一つの思考テーマについて時系列的に思考するためのエリアである。
【００１９】
内部状況表示手段１４は、施設２の外壁などに配置され、施設２内の状況、具体的には利用者の有無、及び利用者が存在する場合には利用者が複数のエリアのどのエリアに現在存在しているかを表示する。施設２外に存在する第３者あるいはこれから施設２を利用しようとする予定者は、この内部状況表示手段１４を視認することで、視覚的及び聴覚的に隔絶された施設２内の状況を知ることができる。内部状況表示手段１４の表示態様を例示すると、施設２が４つのエリア（エリアＡ、エリアＢ、エリアＣ、エリアＤ）に分割されている場合、「未使用」、「エリアＡ使用中」、「エリアＤ使用中、あと＊＊分」等である。施設２内のどのエリアに利用者が存在するかは、各エリアに監視カメラを設置する、あるいは利用者が施設２に入ってからの経過時間を計測する等で検出できる。なお、後者は利用者が所定時間毎に各エリアを巡回することに基づくもので、これについてはさらに後述する。
【００２０】
思考テーマ表示手段１６は、外部サーバ１から送信された思考テーマデータを表示して利用者に提示する。思考テーマ表示手段１６は、複数のエリアのそれぞれに配置され、時系列順に分割された思考テーマデータのそれぞれのデータを表示する。例えば、ある思考テーマデータＴがｔ１、ｔ２、ｔ３、ｔ４の４つの時系列順のデータに分割されている場合、エリアＡの思考テーマ表示手段１６はデータｔ１を表示し、エリアＢの思考テーマ表示手段１６はデータｔ２を表示し、エリアＣの思考テーマ表示手段１６はデータｔ３を表示し、エリアＤの思考テーマ表示手段１６はデータｔ４を表示する等である。なお、思考テーマデータが時系列順に分割されているとは、具体的には利用者がある思考テーマについて思考する際に、その順序で思考することにより、効率的で発展的に思考することが期待される順に分割されることを意味し、例えばある思考テーマデータを、「準備用のデータ」、「発想用のデータ」、「整理用のデータ」、「反省ないし検証用のデータ」に分割する等である。準備用のデータがｔ１、発想用のデータがｔ２、整理用のデータがｔ３，反省ないし検証用のデータがｔ４に相当する。エリアＡの思考テーマ表示手段１６は準備用のデータを表示し、利用者はエリアＡでは特定の思考テーマについて思考するための準備を行う。エリアＢの思考テーマ表示手段１６は発想用のデータを表示し、利用者はエリアＢでは当該思考テーマについて発想する。エリアＣの思考テーマ表示手段１６は整理用のデータを表示し、利用者はエリアＣでは当該思考テーマについて各エリアでの思考を整理する。エリアＤでの思考テーマ表示手段１６は反省ないし検証用のデータを表示し、利用者はエリアＤでは当該思考テーマについて自己の行った思考を検証する。各エリアにおける思考テーマ表示手段１６は、具体的には壁掛けの薄型ディスプレイ等で構成される。なお、各エリアには、利用者のための机や椅子を配置してもよく、あるいは特定の音楽を流してもよい。
【００２１】
利用者運搬手段１８は、利用者を施設２内の複数のエリアで巡回させる。例えば、施設２の底部に回転台座を配置し、台座を回転させることで利用者をエリアＡ→エリアＢ→エリアＣ→エリアＤと巡回させる。各エリアにおける利用者の思考時間は限定されており、所定時間が経過すると自動的に台座が回転し、利用者を半ば強制的に次のエリアに導く。各エリアにおける利用者の思考時間は、各エリアで同一時間でもよく、あるいはエリア毎に異なる時間でもよい。さらに、各エリアに与えられ表示される思考テーマに応じて時間を設定してもよい。エリアＡは５分、エリアＢは１５分、エリアＣは５分、エリアＤは３分等である。各エリアにおける思考時間は、外部サーバ１が思考テーマデータとともに施設２に送信してもよく、施設２の全体を制御する制御部が各エリア毎に設定してもよい。
【００２２】
利用者運搬手段１８は、利用者を半ば強制的に次のエリアへと運搬するものであるが、思考テーマ表示手段１６に次のエリアに移動すべきことを伝えるメッセージを表示する、あるいはスピーカからその旨を音声出力することにより、利用者が自身で次のエリアに移動するように案内してもよい。すなわち、利用者運搬手段１８は、必ずしも利用者を物理的に運搬するものに限られず、利用者に報知して移動案内する任意の装置を用いることができる。
【００２３】
通信手段２０は、通信ネットワーク１００を介して外部サーバ１とデータを送受する。すなわち、外部サーバ１から送信された思考テーマデータを受信し、施設２の各エリアに配置された思考テーマ表示手段１６に供給する。また、通信手段２０は、施設２を利用する利用者のＩＤデータを外部サーバ１に送信する。利用者のＩＤデータは、任意の形態で取得される。例えば、利用者が携帯するＩＤカードをカードリーダで読み取り取得する、利用者の指紋や虹彩、声紋等の身体的特徴（バイオメトリクス）を取得してＩＤデータとする等である。さらに、通信手段２０は、各エリアにおいて利用者が想起した概念あるいはアイディアを外部サーバ１に送信する。外部サーバ１は、通信手段２０から送信された利用者のアイディア等を当該思考テーマデータに関連付けて利用者毎のファイルに記録する。利用者は、外部サーバ１にアクセスすることで、各エリアにおける思考の結果を任意に取り出し、再利用することができる。
【００２４】
このように、本実施形態では、利用者は施設２に入ることで、各エリアにおいて所定の順序である思考テーマについて思考することができる。各エリアではそれぞれのエリア毎に思考すべき対象が特定され、かつ、各エリアで思考できる時間も限定されているため、利用者は集中的に特定の思考テーマについて雑情報に煩わされることなく思考できる。
【００２５】
図２には、施設２の構成ブロック図が示されている。
【００２６】
通信インターフェース（Ｉ／Ｆ）３０は、通信手段２０として機能し、外部サーバ１からの思考テーマデータを受信して制御部５０に出力する。また、制御部５０からの利用者ＩＤデータや利用者が入力したアイディアデータ等を外部サーバ１に送信する。
【００２７】
駆動部３２は、制御部５０からの指令により施設２の台座を回転駆動し、所定時間毎に台座３４を回転させて利用者を次のエリアに運搬する。なお、複数のエリアが放射状ではなく直線状に配置している場合、駆動部３２は台座を直線的に駆動して利用者を次のエリアに運搬する。
【００２８】
駆動部３６は、複数のエリアを分割する仕切手段１２として機能する暗幕３８を駆動する。駆動部３６の駆動タイミングは駆動部３２の駆動タイミングに同期し、台座３４が駆動されるとともに暗幕３８が駆動されて暗幕３８が開放され、利用者を次のエリアに運搬する。
【００２９】
ディスプレイ４０、４２、４４、４６は、各エリア（エリアＡ、エリアＢ、エリアＣ、エリアＤ）に配置される思考テーマ表示手段１６として機能し、制御部５０から供給された思考テーマデータを表示する。
【００３０】
ディスプレイ４７は、施設２の外壁に配置される内部状況表示手段１４として機能し、制御部５０からの指令により施設２の内部状況、すなわち利用者の有無と利用者の位置を表示する。
【００３１】
マイクロフォン４８は、各エリアに配置され、利用者の音声を入力する。利用者は、ディスプレイ４０〜４６に表示された思考テーマデータを視認し、想起された概念やアイディアを音声メモとしてこのマイクロフォン４８に入力する。マイクロフォン４８は音声メモデータを制御部５０に供給する。
【００３２】
カードリーダ４９は、利用者が施設２に入場する際に携帯するＩＤカードに記録されたＩＤデータを取得する。カードリーダ４９の他に、利用者を撮影するＣＣＤカメラや指紋センサなどを設けてもよい。
【００３３】
制御部５０は、カードリーダ４９等で利用者のＩＤデータを取得したことをトリガとして施設２を起動する。制御部５０は、まず利用者のＩＤデータを通信Ｉ／Ｆ３０を介して外部サーバ１に送信し、外部サーバ１から受信した時系列順に分割された思考テーマデータをディスプレイ４０〜４６に分配する。すなわち、思考テーマデータがｔ１、ｔ２、ｔ３、ｔ４から構成される場合、データｔ１をディスプレイ４０に、データｔ２をディスプレイ４２に、データｔ３をディスプレイ４４に、データｔ４をディスプレイ４６にそれぞれ供給する。供給するタイミングは同時でもよく、あるいは駆動部３２を駆動して台座３４を回転駆動するタイミングで順次供給してもよい。すなわち利用者がエリアＡに存在するタイミングでディスプレイ４０にデータｔ１を供給し、利用者がエリアＡからエリアＢに運搬されたタイミングでデータｔ２をディスプレイ４２に供給する等である。駆動部３２を駆動するタイミングはタイマで設定される。すなわち、各エリア毎に利用者の思考時間を設定し、利用者が各エリアに運搬されたときにタイマをスタートさせ、タイマがカウントアップしたときに駆動部３２に駆動指令を出力する。また、制御部５０は駆動部３２に駆動指令を出力するとともに、ディスプレイ４７の表示内容を順次「未使用」→「エリアＡ使用中」→「エリアＢ使用中」・・等と変化させる。さらに、利用者がマイクロフォン４８から入力した音声メモデータを思考テーマデータと関連付けて外部サーバ１に送信する。
【００３４】
図３には、施設２の平面図が示されている。施設２は外壁５２により周囲環境から遮断される。オープンオフィス環境においては、オフィスの一画に外壁５２で施設２を形成する。施設２は中心から放射状に配置された暗幕３８により４つのエリア（スペースＡ、スペースＢ、スペースＣ、スペースＤ）に分割される。図では、４つのエリアは略等面積であるが、各エリアで面積を異にしてもよい。特に、利用者の好みに応じ、各エリアの面積を変化させることが好適である。例えば、ある利用者は発想する場合には特に狭いエリアを望む傾向がある場合には、暗幕３８を駆動して発想に対応するエリアであるスペースＢの面積を縮小する等である。利用者のＩＤデータに応じて暗幕３８を駆動し利用者毎の面積を設定することもできる。スペースＡには出入口５４が設けられ、出入口５４近傍には内部状況表示手段１４としてのディスプレイ４７が配置される。台座３４には利用者が座るための椅子５６が設けられ、例えば１６分／周の速度で回転する。
【００３５】
図４には、外部サーバ１の構成ブロック図が示されている。外部サーバ１は、利用者管理ファイル、思考テーマデータベース（Ｄ／Ｂ）、関連情報取得手段及び利用者作業情報管理手段を含む。
【００３６】
利用者管理ファイルは、利用者のＩＤデータや利用者の人口統計学上のデータ（年齢、性別）、職業、経歴等の個人データをテーブル形式で保持する。利用者が予め思考テーマを登録した場合、当該思考テーマデータもこの管理ファイルに記録される。利用者管理ファイルの具体的な構成は任意であるが、その一例は利用者毎にレコードを作成し、各レコードにデータ項目として利用者ＩＤ、利用者氏名、利用者年齢、利用者性別、利用者職業、利用者経歴、利用者登録思考テーマ、利用者ポイントデータ、利用者音声メモ等を作成するものである。
【００３７】
思考テーマデータベース（Ｄ／Ｂ）は、人口統計学上あるいは職業上あるいは経歴上に分類された思考テーマを保持する。年齢３０歳〜４０歳で男性のエンジニアについては思考テーマがＴ１、Ｔ２、Ｔ３、年齢３０歳〜４０歳で女性の管理職については思考テーマがＳ１、Ｓ２、Ｓ３等である。思考テーマは単一でもよく複数でもよい。思考テーマは、キーワード形式で保持されていてもよく、画像（静止画あるいは動画）形式で保持されていてもよい。思考テーマデータベースは、例えばＳＱＬで記述される。
【００３８】
関連情報取得手段は、思考テーマに関連する最新情報をインターネット等を経由して取得する。関連情報の取得は、思考テーマがキーワードを含む場合には当該キーワードを検索キーとして用いて取得する。取得した関連情報は、思考テーマデータベースに思考テーマに関連付けて格納される。取得すべき最新情報の上限を例えば１００件と設定してもよい。
【００３９】
利用者作業情報管理手段は、思考テーマデータの作成や思考テーマの時系列順の分割、音声メモデータのファイルへの記録等を実行する。時系列順の分割は、思考テーマデータのキーワード及びそれに関連する情報を「準備」、「発想」、「整理」、「反省ないし検証」の４つのカテゴリに分類する。例えば、思考テーマが環境問題である場合、「準備」としては環境問題で特に解決すべき問題点あるいは課題となるデータ（ゴミの分別）を抽出し、「発想」としてはゴミの種類やその焼却に伴い発生するガス、各国の取組状況その他の基礎データを抽出し、「整理」では過去にその利用者が入力し外部サーバ１に記憶したデータ等と併せて今回入力した音声メモデータ等を文字データとしてテーブル形式で作成し整理データとし、「反省ないし検証」としては同一思考テーマに対する他の利用者のアイディアデータ等を抽出する等である。もちろん、これらは時系列順の一例にすぎず、他の分割も可能である。時系列順の一般的な規則は、比較的簡単なものから複雑なものへ、単純なものから高度なものへ、基礎的なものから応用的なものへ、具体的なものから抽象的なものへ、等であろう。種々の学習プログラムで用いられる公知スキームを本実施形態の思考テーマに適用することができよう。また、上記のようにシンプルでシーケンシャルに作業を進めることができない、複雑な要素を持つ課題に関しては、図８に模式的に示されるように、利用者の課題を細分化することで対応することができる。利用者の課題を５Ｗ１Ｈなどの項目または機能に分割し、その項目または機能を思考テーマデータとして提供する。全ての思考データ分の回数だけ繰り返し集中思考作業を行う。その結果である各項目または機能の思考結果すべてを、本来利用者が課題としている問題の解決手段として用いることができる。本来の課題を細分化することで利用者の集中思考を容易にさせるばかりでなく、一定の時間と空間内で繰り返し集中思考を行うことで集中力も増幅され、様々な細分化された課題毎に違った観点から問題を分析することで発想数や発想の種類の増幅、問題意識の変遷を促すことも可能となる。本実施形態の本質は、施設２の各エリア（スペース）において思考テーマの異なるフェーズあるいはステップが利用者に提示される点にあり、利用者がエリア間を移動することで必然的にこれらのフェーズあるいはステップに導かれる点にある。関連情報取得手段及び利用者作業情報管理手段は、具体的にはサーバコンピュータのプロセッサで構成される。
【００４０】
図５には、本実施形態の全体処理フローチャートが示されている。なお、説明の都合上、外部サーバ１と施設２での処理を併記して示している。
【００４１】
まず、利用者は施設２を利用するに際し、所定の利用申請処理を行う（Ｓ１０１）。具体的には、自己の携帯するＩＣカードをカードリーダに４９に挿入する等してＩＤデータを施設２の制御部５０に供給する。そして、利用者は出入口５４から施設２の最初のスペースに入室する（Ｓ１０２）。
【００４２】
制御部５０は、ＩＤデータを入力する、あるいは利用者が最初のスペースに入室したことを確認すると、内部状況表示手段１４としてのディスプレイ４７にスペース使用状況を表示する（Ｓ１０３）。例えば、「スペースＡ使用中」等である。
【００４３】
一方、ＩＤデータを受信した外部サーバ１では、このＩＤデータに基づいて利用者毎の思考テーマデータを作成し（Ｓ１０９）、施設２に送信する（Ｓ１１０）。思考テーマデータは思考手順の時系列順に分割されて送信される。
【００４４】
次に、制御部５０は、思考テーマ表示手段１６としてのディスプレイ４０〜４６に、思考テーマを表示する（Ｓ１０４）。思考テーマを表示するに際しては、時系列順に分割された思考テーマデータをディスプレイ４０〜４６に振り分け、各ディスプレイに表示する。利用者は、ディスプレイに表示された思考テーマを視認しつつ、集中思考する（Ｓ１０５）。
【００４５】
一方、制御部５０は利用者がスペースの利用を開始してからの経過時間をタイマで計測し、予め設定された制限時間に達したか否かを判定する（Ｓ１０６）。制限時間に達していない場合には、引き続き利用者はそのスペースで集中思考を継続する。制限時間に達した場合には、次の思考スペースがあるか否かを確認し（Ｓ１０７）、次のスペースが存在する場合には利用者運搬手段１８としての駆動部３２及び台座３４により利用者を半ば強制的に次のスペースに移動させる（Ｓ１１１）。次のスペースでは、再びＳ１０４以降の処理が繰り返され、以前のスペースとは異なるデータを視認して集中思考を継続する。
【００４６】
すべてのスペースにおいて利用者が集中思考を実行し、次のスペースが存在しないと判定された場合（Ｓ１０７）、利用者は施設２を退室するとともに、制御部５０は内部状況表示手段１４としてのディスプレイ４７に「未使用」を表示する（Ｓ１０８）。また、外部サーバ１に対して終了コマンドを送信し、外部サーバ１はこのコマンドに応じて処理を終了する（Ｓ１１２）。
【００４７】
このように、本実施形態では、利用者を複数のエリア（スペース）に順次導くことで思考手順をエリアによりガイドするため、利用者は効率的に集中思考を行うことができる。
【００４８】
また、各エリアにおいて思考時間を限定しているため、利用者は適度なスピードあるいは適度な緊張感をもって思考するようになるため、集中力促進を促すことができる。
【００４９】
以上、本発明の実施形態について説明したが、本発明はこれに限定されるものではなく種々の変更が可能である。
【００５０】
例えば、本実施形態では施設２の平面形状を円形としているが、施設２の平面形状を長方形状とし、各エリアを直線状に配置することもできる。
【００５１】
図６には、施設２の他の形状が示されている。外壁５２で周囲空間から略直方体形状の空間を隔絶し、等間隔に暗幕３８を配置して５個のエリア（スペース）を形成する。各エリアにはディスプレイ４０、４１、４２、４４、４６を配置し、思考テーマデータを表示する。施設２の底部には台座３４としてのベルトコンベヤが配置され、利用者を次のエリアへ運搬する。図６では、利用者は起立状態で各エリアにおいて思考するが、椅子等を設けてもよい。
【００５２】
図７には、本実施形態のシステムを利用する一態様が示されている。施設２の近傍にコミュニケーションエリア３を設け、コミュニケーションエリア３において複数人が特定のテーマについて議論する。議論中に集中的に思考したいと欲する利用者は、自己の携帯するＩＤカードを用いて施設２に入室する。入室を許可するキーがＩＤカードを兼用してもよく、これにより入室時に利用者のＩＤデータを取得できる。施設２で集中的に思考した後に再びコミュニケーションエリア３に戻り、さらに議論を行う。集中的に思考できる時間及びエリアを確保することで、議論の活発化が期待できる。
【図面の簡単な説明】
【００５３】
【図１】実施形態に係るシステムの概念図である。
【図２】図１における施設の構成ブロック図である。
【図３】図１における施設の平面図である。
【図４】図１における外部サーバの構成ブロック図である。
【図５】実施形態の全体処理フローチャートである。
【図６】図１における施設の他の構成図である。
【図７】実施形態に係るシステムの利用説明図である。
【図８】実施形態における思考テーマデータの分割説明図である。
【符号の説明】
【００５４】
１  外部サーバ、２  集中思考支援施設、１０  思考テーマ生成手段、１２  仕切手段、１４  内部状況表示手段、１６  思考テーマ表示手段、１８  利用者運搬手段、２０  通信手段。
【図１】
2005242101.tif 000003
【図２】
2005242101.tif 000004
【図３】
2005242101.tif 000005
【図４】
2005242101.tif 000006
【図５】
2005242101.tif 000007
【図６】
2005242101.tif 000008
【図７】
2005242101.tif 000009
【図８】
2005242101.tif 000010